(57)【要約】【課題】利用者の意図しない動作が継続して行われることを防止することのできるふとん乾燥機を提供する。【解決手段】本体１の吹出口１２から温風を発生させるふとん乾燥機において、本体１は、風を発生させる送風機６と、送風機６の送風を加熱する加熱装置７と、ふとん乾燥機を操作するための情報を利用者が入力するための操作手段１０と、操作手段１０への入力を受けて送風機お６よび加熱装置７を制御する制御手段９と、を含む。制御手段９は、予め定められた時間を超えて、操作手段１０への入力を継続して受けた場合に、本体１への電源の再投入が行われるまで加熱装置７及び送風機６の稼動を禁止するエラー待機処理を行う。【選択図】図４
2016047212.tif 000002
【特許請求の範囲】
【請求項１】
本体の吹出口から温風を発生させるふとん乾燥機において、
前記本体は、
風を発生させる送風機と、
前記送風機の送風を加熱する加熱手段と、
前記ふとん乾燥機を操作するための情報を利用者が入力するための操作手段と、
前記操作手段への入力を受けて前記送風機および前記加熱手段を制御する制御手段と、を含み、
前記制御手段は、予め定められた時間を超えて、前記操作手段への前記入力を継続して受けた場合に、前記本体への電源の再投入が行われるまで前記加熱手段及び前記送風機の稼動を禁止するエラー待機処理を行うように構成されてなるふとん乾燥機。
【請求項２】
前記制御手段は、前記エラー待機処理を実行した場合に、利用者への報知を行う報知手段を備える請求項１に記載のふとん乾燥機。
【請求項３】
前記制御手段は、前記エラー待機処理を実行した場合において、前記電源の再投入が行われた場合に前記エラー待機処理を解除するように構成されてなる請求項１又は請求項２に記載のふとん乾燥機。
【請求項４】
前記制御手段は、前記エラー待機処理の実行回数を記憶する記憶部を備え、
前記実行回数が閾値を超えた場合に、前記エラー待機処理の解除を禁止して前記加熱手段及び前記送風機の稼動を継続して禁止するエラー処理を行うように構成されてなる請求項３に記載のふとん乾燥機。
【請求項５】
前記操作手段は、１又は複数のスイッチにより構成される請求項１から請求項４の何れか１項に記載のふとん乾燥機。
【請求項６】
本体の吹出口から温風を発生させるふとん乾燥機において、
前記本体は、
風を発生させる送風機と、
前記送風機の送風を加熱する加熱手段と、
前記ふとん乾燥機を操作するための情報を利用者が入力するための操作手段と、
前記操作手段への入力を受けて前記送風機および前記加熱手段を制御する制御手段と、を含み、
前記制御手段は、予め定められた時間を超えて、前記操作手段への前記入力を継続して受けた場合に、前記送風機の稼動は許可するとともに前記加熱手段の稼動を禁止するように構成されてなるふとん乾燥機。
【請求項７】
前記操作手段は、１又は複数のスイッチにより構成される請求項６に記載のふとん乾燥機。
【発明の詳細な説明】
【技術分野】
【０００１】
この発明は、温風によってふとんを乾燥させるふとん乾燥機に関する。
【背景技術】
【０００２】
従来、例えば特許文献１には、外気を吸込口から吸い込んで吐出口から吐出するファンと、ファンにより吸込口から吸い込んだ空気を加熱するＰＴＣヒータとを備える布団乾燥機が開示されている。この布団乾燥機には操作パネルが設けられ、その内側には操作基板が配設されている。操作基板には、操作パネルの各部に対応するように、電源のオンオフを行う電源入／切スイッチ、操作により選択された乾燥コースが実行されるスタートスイッチ、そして乾燥コースを選択する選択スイッチが配設されている。
【先行技術文献】
【特許文献】
【０００３】
【特許文献１】特開２０１４−７９４３５号公報
【発明の概要】
【発明が解決しようとする課題】
【０００４】
上記従来の布団乾燥機のように、機械的構造体からなる機械式のスイッチを備える装置では、スイッチの戻り不良等が発生した場合に、スイッチの通電が解除されずに継続されてしまうおそれがある。この場合、使用者の意図しない加熱動作が継続して実行されるおそれがある。
【０００５】
この発明は、上述の課題を解決するためになされたもので、使用者の意図しない動作が継続して行われることを防止することのできるふとん乾燥機を提供することを目的とする。
【課題を解決するための手段】
【０００６】
この発明に係るふとん乾燥機は、本体の吹出口から温風を発生させるふとん乾燥機において、本体は、風を発生させる送風機と、送風機の送風を加熱する加熱手段と、ふとん乾燥機を操作するための情報を利用者が入力するための操作手段と、操作手段への入力を受けて送風機および加熱手段を制御する制御手段と、を含み、制御手段は、予め定められた時間を超えて、操作手段への入力を継続して受けた場合に、本体への電源の再投入が行われるまで加熱手段及び送風機の稼動を禁止するエラー待機処理を行うように構成されるものである。
【発明の効果】
【０００７】
この発明によれば、予め定められた時間を超えて操作手段への入力を継続して受けた場合に、加熱手段及び送風機の稼動を禁止するエラー待機処理が行われるので、使用者の意図しない動作が継続して行われることを防止することのできるふとん乾燥機を提供することが可能となる。
【図面の簡単な説明】
【０００８】
【図１】この発明の実施の形態１におけるふとん乾燥機の使用状態を示す断面図である。
【図２】この発明の実施の形態１におけるふとん乾燥機の制御系統を示す構成図である。
【図３】この発明の実施の形態１におけるふとん乾燥機において、制御手段９が実行するルーチンを示すフローチャートである。
【図４】この発明の実施の形態１におけるふとん乾燥機において、制御手段９が実行するルーチンを示すフローチャートである。
【図５】この発明の実施の形態１におけるふとん乾燥機において、制御手段９がエラー待機処理を実行するルーチンを示すフローチャートである。
【図６】この発明の実施の形態２におけるふとん乾燥機において、制御手段９が実行するルーチンを示すフローチャートである。
【図７】この発明の実施の形態２におけるふとん乾燥機において、制御手段９が実行するルーチンを示すフローチャートである。
【図８】この発明の実施の形態３におけるふとん乾燥機において、制御手段９が実行するルーチンを示すフローチャートである。
【図９】この発明の実施の形態３におけるふとん乾燥機において、制御手段９が加熱装置停止処理を実行するルーチンを示すフローチャートである。
【発明を実施するための形態】
【０００９】
以下、図面を参照してこの発明を実施するための形態について説明する。なお、各図中において、同一又は相当する部分には同一の符号を付すとともに、重複する説明は適宜に簡略化ないし省略する。
【００１０】
実施の形態１．
図１は、この発明の実施の形態１におけるふとん乾燥機の使用状態を示す断面図である。また、図２は、この発明の実施の形態１におけるふとん乾燥機の制御系統を示す構成図である。本実施の形態のふとん乾燥機は、乾燥機本体（以下、単に「本体」という）１、乾燥用マット２、ホース３により、その要部が構成されている。本ふとん乾燥機は、図１に示すように、乾燥用マット２を敷きふとん４と掛けふとん５との間に挟み、乾燥用マット２と本体１との間に、柔軟性のあるホース３を接続して使用する。
【００１１】
本体１は、その内部に、送風機６、加熱装置７、温度センサー８、制御手段９、及び報知手段１４が備えられている。また、本体１の筐体部には、操作手段１０、吸気口１１、吹出口１２、及び表示部１３が設けられている。
【００１２】
送風機６は、吸気口１１から本体１の内部に空気を取り込み、その取り込んだ空気を吹出口１２から本体１の外部に送り出す機能を有している。また、加熱装置７は、吸気口１１から本体１の内部に取り込まれた空気を、吹出口１２から排出される前に本体１内で加熱する加熱手段としての機能を有している。例えば、本体１は、送風機６から送られてくる空気を加熱装置７で温めることにより、吹出口１２から温風を吐出する。なお、本体１では、加熱装置７の加熱機能を停止させることにより、常温の風を吹出口１２から吐出させることもできる。即ち、本体１は、温風を供給する装置としての機能の他、単なる送風装置としての機能も備えている。
【００１３】
温度センサー８は、本体１が設置された室内の温度を検出するためのものである。例えば、温度センサー８は、吹出口１２の直ぐ内側に配置されており、吹出口１２から本体１の外部に送り出される空気の温度を検出する。かかる構成であれば、送風機６が動作し、加熱装置７が停止している場合は、常温の風の温度（即ち、室温）を温度センサー８によって検出することができる。また、送風機６及び加熱装置７の双方が動作している場合は、温風の温度を温度センサー８によって検出することができる。
【００１４】
操作手段１０は、装置を動作させる上で必要な各種情報を利用者が入力するためのものであり、機械式の複数のスイッチにより構成されている。より詳しくは、操作手段１０は、モード選択手段としてのモード選択キー１０ａ、スタート手段としてのスタートキー１０ｂ、及び取り消し手段としての取消キー１０ｃを備えている。モード選択キー１０ａは、複数ある運転モードの中から何れのモードで運転するかを選択するキーである。なお、運転モードとしては、ふとんを乾燥させるモード、ブーツを乾燥させるモード、及び衣類を乾燥させるモード等がある。また、スタートキー１０ｂは、利用者が選択したモードで運転を開始するキーである。さらに、取消キー１０ｃは、運転を停止したり設定を初期状態にするためのキーである。操作手段１０から各種情報が入力されると、それらの情報は制御手段９に送信される。
【００１５】
表示部１３及び報知手段１４は、利用者への報知を行うためのものである。より詳しくは、表示部１３は本体１に外部からの視認が可能に設けられ、後述するエラー等の発生を表示するための機能を有している。また、報知手段１４は、本体１の内部に設けられ、後述するエラー等の発生を警告音又は音声ガイダンス等の音声によって通知する機能を有している。
【００１６】
制御手段９は、操作手段１０から入力された情報及び温度センサー８からの温度情報等に基づいて、送風機６、加熱装置７、表示部１３及び報知手段１４を制御する機能を有している。制御手段９は、例えば、運転制御手段９ａ及び記憶部９ｂにより、その要部が構成されている。運転制御手段９ａは、入力された情報に基づいて運転の開始及び停止を制御する他、入力された運転モードに合った制御で送風機６と加熱装置７に対して通電を行う。また、記憶部９ｂは、操作手段１０から受信した各種情報を記憶するためのものである。また、記憶部９ｂは、予め決められている各モードの運転時間等の制御方法を記憶している。
【００１７】
次に、図３から図５を参照して、実施の形態１のふとん乾燥機において実行される具体的処理について説明する。実施の形態１のふとん乾燥機は、操作手段１０のキーによって操作される。図３は、この発明の実施の形態１におけるふとん乾燥機において、制御手段９が実行するルーチンを示すフローチャートである。図３に示すルーチンでは、先ず、電源プラグが商用電源に接続されているかが判定される（ステップＳ１）。なお、以下の説明では、電源プラグが商用電源に接続されていることを「プラグＩＮ」と称する。その結果、プラグＩＮになっていないと判定された場合には、ステップＳ１におけるプラグＩＮの判定に戻る。一方、ステップＳ１においてプラグＩＮになっていると判定された場合には、操作手段１０の何れかのキーがＯＮされたか否かが判定される（ステップＳ２）。その結果、何れのキーもＯＮされていない場合には、ステップＳ２におけるキーＯＮの判定に戻る。
【００１８】
一方、上記ステップＳ２において、キーがＯＮされたと判定された場合には、ＯＮされたキーがモード選択キー１０ａであるか否かが判定される（ステップＳ３）。その結果、ＯＮされたキーがモード選択キー１０ａであれば、次のステップに移行して運転モード設定処理が行われる（ステップＳ４）。そして、運転モード設定処理終了後は、上記ステップＳ２におけるキーＯＮの判定処理に戻る。
【００１９】
また、上記ステップＳ３において、ＯＮされたキーがモード選択キー１０ａでないと判定された場合には、次にＯＮされたキーがスタートキー１０ｂであるか否かが判定される（ステップＳ５）。その結果、ＯＮされたキーがスタートキー１０ｂであれば、次のステップに移行して、選択された運転モードで運転を開始するモード運転開始処理が行われる（ステップＳ６）。ここでは、具体的には、選択された運転モードに応じて、送風機６及び加熱装置７が制御される。次に、モード運転が終了したか否かが判定される（ステップＳ７）。その結果、モード運転が未だ終了していない場合には、ステップＳ７におけるモード運転の終了判定に戻る。一方、上記ステップＳ７において、モード運転が終了したと判定された場合には、次のステップに移行して運転停止処理が行われる（ステップＳ８）。
【００２０】
また、上記ステップＳ５において、ＯＮされたキーがスタートキー１０ｂでないと判定された場合には、次にＯＮされたキーが取消キー１０ｃであるか否かが判定される（ステップＳ９）。その結果、ＯＮされたキーが取消キー１０ｃでない場合には、上記ステップＳ２におけるキーＯＮの判定処理に戻る。一方、上記ステップＳ９において、ＯＮされたキーが取消キー１０ｃであると判定された場合には、次のステップに移行して、運転中か否かが判定される（ステップＳ１０）。その結果、運転中であればステップＳ８に移行して運転停止処理が行われる。一方、上記ステップＳ１０において運転中でなければ、上記ステップＳ８における運転停止処理は行わずに、上記ステップＳ２におけるキーＯＮの判定処理に戻る。
【００２１】
このように、図３に示すルーチンによれば、利用者が操作した操作手段１０のキーに対応する制御が行われる。
【００２２】
ここで、操作手段１０のキーに戻り不良等が発生すると、キーがＯＮ操作されたまま継続されてしまい、意図しない動作が行われてしまうおそれがある。そこで、実施の形態１のふとん乾燥機では、操作手段１０のキーに戻り不良が発生した場合に、電源の再投入が行われるまで加熱装置７及び送風機６の稼動を禁止した状態で待機し、電源の再投入が行われた場合に加熱装置７及び送風機６の稼動の禁止を解除するエラー待機処理が実行される。
【００２３】
図４は、この発明の実施の形態１におけるふとん乾燥機において、制御手段９が実行するルーチンを示すフローチャートである。図４に示すルーチンでは、先ず、操作手段１０の何れかのキーがＯＮ操作されたか否かが判定される （ステップＳ２１）。ここでは、具体的には、制御手段９が操作手段１０からキーの押下に対応する信号を受信したか否かが判定される。その結果、何れのキーもＯＮされていない場合には、ステップＳ２１におけるキーＯＮの判定に戻る。
【００２４】
一方、上記ステップＳ２１において、何れかのキーがＯＮ操作されたと判定された場合には、次のステップに移行してタイマｔが初期化される（ステップＳ２２）。なお、タイマｔは操作手段１０のキーがＯＮ操作されている時間を測定するためのものである。タイマｔが初期化されると、次にタイマｔのカウントが開始される（ステップＳ２３）。
【００２５】
次に、タイマｔが一定時間ｔ０を超えたか否かが判定される（ステップＳ２４）。一定時間ｔ０は、操作手段１０から受信される信号が、キーの戻り不良等の異常に起因するものであることを判断するための閾値として予め定められた時間であり、例えば、利用者による意図的な操作によって想定されるキーの押下時間よりも長い時間に設定される。その結果、タイマｔが一定時間ｔ０を超えている場合には、次のエラー待機処理のステップへ移行する（ステップＳ２６）。一方、タイマｔが一定時間ｔ０を超えていない場合には、キーがＯＦＦ操作されたか否かが判定される（ステップＳ２５）。その結果、キーがＯＦＦ操作されていない場合には、キーが未だ継続的にＯＮとなっていると判断されて、上記ステップ２４におけるタイマｔと一定時間ｔ０の比較処理に戻る。一方、キーがＯＦＦ操作されていると判定された場合には、ステップＳ２１におけるキーＯＮの判定に戻る。
【００２６】
このように、図４に示すルーチンによれば、操作手段１０のキーが利用者の意図に反して継続的にＯＮとされていることを判断し、エラー待機処理に移行することが可能となる。
【００２７】
図５は、この発明の実施の形態１におけるふとん乾燥機において、制御手段９がエラー待機処理を実行するルーチンを示すフローチャートである。図５に示すルーチンでは、先ず、図４に示すルーチンにおいてステップＳ２６に移行したことを受けて、エラー待機モードに移行される（ステップＳ３１）。
【００２８】
次に、加熱装置７が加熱中であるか否かが判定される（ステップＳ３２）。その結果、加熱装置７が加熱中である場合には加熱が停止される（ステップＳ３３）つまり、加熱装置７の稼動が禁止される。次に、送風機６が動作中であるか否かが判定される（ステップＳ３４）。その結果、送風機６が動作中である場合には、この動作が停止される（ステップＳ３５）。つまり、送風機６の稼動が禁止される。次に、エラー待機モードに移行したことが報知手段１４から利用者に報知される（ステップＳ３６）。また、上記ステップＳ３４に替えて又はこれに加えて、エラー待機モードに移行したことが表示部１３に表示される（ステップＳ３７）。次に、電源プラグが再び商用電源に接続される電源の再投入が行われたか否かが判定される（ステップＳ３８）。その結果、電源の再投入がない場合には、上記ステップＳ３８における電源の再投入の判定に戻る。一方、電源の再投入があった場合には、取消モードに移行する（ステップＳ３９）。ここでは、具体的には、エラー待機モードが解除されて、加熱装置７及び送風機６の稼動の禁止が解除される。また、報知手段１４による報知、表示部１３への表示等が取り消される。
【００２９】
以上説明したとおり、実施の形態１のふとん乾燥機によれば、操作手段１０のキーから異常な入力が継続して受信された場合に、そのキーの接続状態が異常としてエラー待機モードに移行する。これにより、動作している加熱装置７及び送風機６を強制的に停止させることができるので、利用者の意図しない加熱動作の継続を防止して安全性を向上させることができる。また、エラー待機モードに移行する際に、その旨が報知手段１４または表示部１３により利用者に報知されるため、ユーザーに電源再投入を促すことができる。
【００３０】
実施の形態２．
本発明に係る実施の形態２は、実施の形態１において示したハードウェア構成を用いて、制御手段９に後述する図６及び図７に示すルーチンを実行させることにより実現することができる。
【００３１】
実施の形態２のふとん乾燥機は、エラー待機モードに移行した回数に基づいて、操作手段１０の異常の度合を判断し、その後の処理に差を設けた点に特徴を有している。より詳しくは、エラー待機モードに移行した回数が予め定められた閾値よりも大きい場合に、操作手段１０の異常が一時的なものではないと判断して、電源の再投入が行われたとしてもエラー待機モードの解除を禁止する（つまり加熱装置７及び送風機６の稼動の禁止を継続する）エラー処理を行う。以下、フローチャートを参照して実施の形態２のふとん乾燥機において実行される具体的処理について説明する。
【００３２】
図６は、この発明の実施の形態２におけるふとん乾燥機において、制御手段９が実行するルーチンを示すフローチャートである。図６に示すルーチンでは、先ず、操作手段１０の何れかのキーがＯＮ操作されたか否かが判定される （ステップＳ４１）。その結果、何れのキーもＯＮされていない場合には、ステップＳ４１におけるキーＯＮの判定に戻る。
【００３３】
一方、上記ステップＳ４１において、何れかのキーがＯＮされたと判定された場合には、次に、前回のルーチンにおいてエラー待機処理が行われたか否かが判定される（ステップＳ４２）。その結果、エラー待機処理が行われなかったと判定された場合には、次のステップに移行してカウンタ値ｋが初期化される（ステップＳ４３）。なお、カウンタ値ｋは、エラー待機処理の実行回数をカウントするものである。一方、上記ステップＳ４２において、エラー待機処理が行われたと判定された場合には、次のステップに移行してタイマｔが初期化される（ステップＳ４４）。なお、タイマｔはキーを押下している時間を測定するものである。タイマｔが初期化されると、次にタイマｔのカウントが開始される（ステップＳ４５）。
【００３４】
次に、タイマｔが一定時間ｔ０を超えたか否かが判定される（ステップＳ４６）。一定時間ｔ０は、キーの継続的な押下が異常に起因するものであることを判断するための閾値であり、例えば、利用者による意図的な操作によって想定される押下時間よりも長い時間に設定される。その結果、タイマｔが一定時間ｔ０を超えていない場合には、キーがＯＦＦ操作されたか否かが判定される（ステップＳ４７）。その結果、キーがＯＦＦ操作されていない場合には、キーが未だ継続的にＯＮとなっていると判断されて、上記ステップＳ４６におけるタイマｔと一定時間ｔ０の比較処理に戻る。一方、キーがＯＦＦ操作されていると判定された場合には、ステップＳ４１におけるキーＯＮの判定に戻る。
【００３５】
また、上記ステップＳ４６において、タイマｔが一定時間ｔ０を超えている場合には、次のステップに移行して、カウンタ値ｋが設定回数ｋ０を超えているか否かが判定される（ステップＳ４８）。設定回数は、操作手段１０の異常が一時的なものではないことを判定するための閾値として、予め設定された回数が読み込まれる。その結果、カウンタ値ｋが設定回数ｋ０を超えていない場合には、上述したエラー待機処理に移行する（ステップＳ４９）。そして、カウンタ値ｋのインクリメント処理が行われる（ステップＳ５０）。
【００３６】
一方、上記ステップＳ４８において、カウンタ値ｋが設定回数ｋ０を超えていた場合には、後述するエラー処理へ移行する（ステップＳ５１）。
【００３７】
このように、図６に示すルーチンによれば、エラー待機処理に移行した回数に基づいて、その後の処理としてエラー待機処理が行われるのかエラー処理が行われるのかを判断することができる。
【００３８】
図７は、この発明の実施の形態２におけるふとん乾燥機において、制御手段９がエラー処理を実行するルーチンを示すフローチャートである。図７に示すルーチンでは、先ず、図６に示すルーチンにおいてステップＳ５１に移行したことを受けて、エラーモードに移行される（ステップＳ６１）。ここでは、具体的には、操作手段１０から受信される信号に基づく処理、つまり図３に示すルーチンによる処理が無効化される。
【００３９】
次に、加熱装置７が加熱中であるか否かが判定される（ステップＳ６２）。その結果、加熱装置７が加熱中である場合にはこれが停止される（ステップＳ６３）。つまり、加熱装置７の稼動が禁止される。次に、送風機６が動作中であるか否かが判定される（ステップＳ６４）。その結果、送風機６が動作中である場合には、これが停止される（ステップＳ６５）つまり、送風機６の稼動が禁止される。次に、エラーモードに移行したことが報知手段１４から利用者に報知される（ステップＳ６６）。また、上記ステップＳ６４に替えて又はこれに加えて、エラーモードに移行したことが表示部１３に表示される（ステップＳ６７）。なお、エラーモードでは、利用者による装置の再使用を禁止するために、電源の再投入の有無に係わらず加熱装置７及び送風機６の稼動が継続して禁止される。
【００４０】
以上説明したとおり、実施の形態２のふとん乾燥機によれば、エラー待機処理に移行した回数が設定回数を超えたか否かが判定される。これにより、例えば、操作手段１０からの入力異常が利用者の操作による偶発的なものなのか、それともキーの機械的不良等による必然的なものなのかを判断することが可能となる。また、実施の形態２のふとん乾燥機によれば、エラー待機処理に移行した回数が設定回数を超えた場合に、エラー処理が行われる。エラー処理では、稼動している加熱装置７及び送風機６を強制的に停止させるとともに、電源の再投入の有無に係わらず加熱装置７及び送風機６の稼動が継続して禁止される。これにより、より深刻な異常である可能性の高い場合に利用者による装置の再使用が禁止されるので、安全性をより高めることが可能となる。また、実施の形態２のふとん乾燥機によれば、エラー待機処理に移行した回数が設定回数を超えていない場合に、エラー待機処理が行われる。これにより、即座にエラー処理に移行することがなくなるため、販売店又はサービスセンター等へのコールを減らすことが可能となる。
【００４１】
実施の形態３．
本発明に係る実施の形態３は、実施の形態１において示したハードウェア構成を用いて、制御手段９に後述する図８及び図９に示すルーチンを実行させることにより実現することができる。
【００４２】
実施の形態３のふとん乾燥機は、操作手段１０からの継続的な入力信号を受信した場合に、加熱装置７の稼動は禁止するとともに、送風機６の稼動は許可する点に特徴を有している。以下、フローチャートを参照して実施の形態３のふとん乾燥機において実行される具体的処理について説明する。
【００４３】
図８は、この発明の実施の形態３におけるふとん乾燥機において、制御手段９が実行するルーチンを示すフローチャートである。なお、図８に示すルーチンにおけるステップＳ７１からステップＳ７５では、上述した図４におけるルーチンにおけるステップＳ２１からステップＳ２５の処理と同様の処理が実行される。そして、ステップＳ７４において、タイマｔが一定時間ｔ０を超えていると判定された場合には、次の加熱装置停止処理のステップへ移行する（ステップＳ７６）。
【００４４】
このように、図８に示すルーチンによれば、操作手段１０のキーが利用者の意図に反して継続的にＯＮとされていることを判断し、後述する加熱装置停止処理に移行することが可能となる。
【００４５】
図９は、この発明の実施の形態３におけるふとん乾燥機において、制御手段９が加熱装置停止処理を実行するルーチンを示すフローチャートである。なお、図９に示すルーチンは、図８におけるルーチンにおいてステップＳ７６に移行したことを受けて開始されるルーチンである。図９に示すルーチンでは、先ず、加熱装置７が加熱中であるか否かが判定される（ステップＳ８１）。その結果、加熱装置７が加熱中である場合にはこれが停止される（ステップＳ８２）。つまり、加熱装置７の稼動が禁止される。なお、送風機６は継続してその稼動が許可されている。
【００４６】
以上説明したとおり、実施の形態３のふとん乾燥機によれば、操作手段１０のキーから継続した入力信号が受信された場合に、稼動している加熱装置７を強制的に停止させるとともに送風機６を継続して運転させる処理が行われる。これにより、利用者の意図しない加熱動作の継続を防止して安全性を向上させるとともに、送風によってふとんを乾燥させることができる。
【００４７】
ところで、上述した実施の形態３のふとん乾燥機では、報知手段１４及び表示部１３の動作について言及していないが、動作している加熱装置７を強制的に停止させたときにその旨を通知又は表示させることとしてもよい。
【符号の説明】
【００４８】
１  本体、２  乾燥用マット、３  ホース、６  送風機、７  加熱装置、８  温度センサー、９  制御手段、９ａ  運転制御手段、９ｂ  記憶部、１０  操作手段、１０ａ  モード選択キー、１０ｂ  スタートキー、１０ｃ  取消キー、１１  吸気口、１２  吹出口、１３  表示部、１４  報知手段
【図１】
2016047212.tif 000003
【図２】
2016047212.tif 000004
【図３】
2016047212.tif 000005
【図４】
2016047212.tif 000006
【図５】
2016047212.tif 000007
【図６】
2016047212.tif 000008
【図７】
2016047212.tif 000009
【図８】
2016047212.tif 000010
【図９】
2016047212.tif 000011